(57)【要約】【課題】この発明は、導体パターンの幅を小さくでき、しかもラインバイパスコンデンサが短絡した場合において、導体パターンが焼損しないようにできるスイッチング電源用のノイズフィルタ回路を提供することを目的とする。【解決手段】交流供給線とグランド線との間に接続されたラインバイパスコンデンサを備えているスイッチング電源用のノイズフィルタ回路において、ラインバイパスコンデンサが接続されている交流供給線とグランド線との間において、ラインバイパスコンデンサと直列にコンデンサ短絡時用ヒューズが接続されている。【選択図】  図２
2004236059.tif 000002
【特許請求の範囲】
【請求項１】
交流供給線とグランド線との間に接続されたラインバイパスコンデンサを備えているスイッチング電源用のノイズフィルタ回路において、
ラインバイパスコンデンサが接続されている交流供給線とグランド線との間において、ラインバイパスコンデンサと直列にコンデンサ短絡時用ヒューズが接続されていることを特徴とするスイッチング電源用のノイズフィルタ回路。
【発明の詳細な説明】
【０００１】
【産業上の利用分野】
この発明は、スイッチング電源用のノイズフィルタ回路に関する。
【０００２】
【従来の技術】
スイッチング電源回路には、入力側から侵入する外来ノイズからスイッチング電源回路を保護するため、あるいはＡＣ入力端に現れるスイッチング電源回路からの伝導ノイズを抑制するためにノイズフィルタ回路が設けられている。
【０００３】
図１は、スイッチング電源回路の構成を示している。
【０００４】
スイッチング電源回路は、入力部１、ノイズフィルタ部（ノイズフィルタ回路）２、整流平滑部３およびコンバータ部４から構成されている。入力された交流電圧は、整流平滑部３によって整流および平滑化された後、コンバータ部４で変換されて所定の直流電圧を出力する。
【０００５】
商用交流電源からの商用交流電力は、ライン（ライン線）Ｌとニュートラル（中性線）Ｎとからなる交流供給線によって送られる。入力部１では、ラインＬに過電流保護用ヒューズＦ１が接続されている。
【０００６】
ノイズフィルタ部２では、ヒューズＦ１の後のラインＬとニュートラルＮとの間に、ＬとＮとの間の高周波ノイズを低減させるためのアクロスザラインコンデンサＣ１が接続されている。その後段には、ラインＬとフレームグランド（グランド線）ＦＧとの間に、ＬとＦＧとの間の高周波ノイズを低減させるためのラインバイパスコンデンサＣ３が接続されているとともにニュートラルＮとフレームグランドＦＧとの間に、ＮとＦＧとの間の高周波ノイズを低減させるためのラインバイパスコンデンサＣ４が接続されている。
【０００７】
その後段に、ラインＬとニュートラルＮとの間に、同相成分のノイズを除去するためのチョークコイルＬ１が接続されている。
【０００８】
チョークコイルＬ１の後段においても、ヒューズＦ１の後のラインＬとニュートラルＮとの間に、アクロスザラインコンデンサＣ２が接続されている。そして、その後段に、ラインＬとフレームグランドＦＧとの間に、ラインバイパスコンデンサＣ５が接続されているとともにニュートラルＮとフレームグランドＦＧとの間にラインバイパスコンデンサＣ６が接続されている。
【０００９】
ノイズフィルタ部２内のラインバイパスコンデンサＣ３、Ｃ４、Ｃ５、Ｃ６は、ＤＣ−ＤＣコンバータ内のスイッチング素子（図示略）のコレクタあるいはソースとフレームグランドＦＧ間の寄生キャパシタを通して流れる電流によって発生するコモンモードノイズを除去するものである。
【００１０】
ノイズフィルタ部２を通過した交流入力は、整流平滑部３内のダイオードブリッジＤによって整流された後、整流平滑部３内のダイオードＣ７によって平滑化されて、非安定直流電圧となる。この非安定直流電圧は、コンバータ部内のＤＣ−ＤＣコンバータによって安定化されて所定の直流電圧なって出力される。
【００１１】
【特許文献１】特開平８−１９１５７０号公報
【特許文献２】特開平７−３９１３６号公報
【特許文献３】特開１９９４−１５３３８２号公報
【特許文献４】特開２０００−９８７９７号公報
【００１２】
【発明が解決しようとする課題】
安全規格上、上記ノイズフィルタ部２内の各コンデンサの異常時を考慮して、素子の短絡試験を実施することにより、回路基板上の導体パターン焼損等によって危険な状態にならないようにしている。
【００１３】
ラインバイパスコンデンサＣ３、Ｃ４、Ｃ５、Ｃ６に対しても異常試験が実施され、これらの素子が短絡した場合にも、ラインＬまたはニュートラルＮからコンデンサまでの導体パターンおよび各コンデンサからフレームグランドＦＧまでの導体パターンが焼損しないように、これらの導体パターンの幅を大きくしている。
【００１４】
つまり、ラインバイパスコンデンサが短絡した場合において、過電流保護用ヒューズＦ１が溶断するまでに、上記導体パターンが焼損してしまわないように、上記導体パターンの幅を大きくしている。例えば、交流電源電圧が１００Ｖの国内向けの仕様には、過電流保護用ヒューズＦ１として１５Ａのヒューズがよく用いられるため、上記導体パターンの幅としては、２０ｍｍ以上が必要とされていることが多い。
【００１５】
しかしながら、機器の小型化が進んでいるため、スイッチング電源回路にも小型化が要求されるが、従来回路では上述したように導体パターンの幅を大きくとる必要があるため、機器を小型化することが困難となっている。
【００１６】
この発明は、導体パターンの幅を小さくでき、しかもラインバイパスコンデンサが短絡した場合において、導体パターンが焼損しないようにできるスイッチング電源用のノイズフィルタ回路を提供することを目的とする。
【００１７】
【課題を解決するための手段】
請求項１に記載の発明は、交流供給線とグランド線との間に接続されたラインバイパスコンデンサを備えているスイッチング電源用のノイズフィルタ回路において、ラインバイパスコンデンサが接続されている交流供給線とグランド線との間において、ラインバイパスコンデンサと直列にコンデンサ短絡時用ヒューズが接続されていることを特徴とする。交流供給線には、図１〜図３のライン（ライン線）Ｌおよびニュートラル（中性線）Ｎが含まれる。
【００１８】
【発明の実施の形態】
以下、図２および図３を参照して、この発明の実施の形態について説明する。
【００１９】
図２は、スイッチング電源回路の構成を示している。図２において、図１と同じものには、同じ符号を付してその説明を省略する。
【００２０】
このスイッチング電源回路では、ノイズフィルタ部２Ａの構成が図１のノイズフィルタ部２の構成と異なっている。このノイズフィルタ部２Ａでは、ラインバイパスコンデンサＣ３、Ｃ４とフレームグランドＦＧとの間に、コンデンサ短絡時用ヒューズＦ２が接続されているとともに、ラインバイパスコンデンサＣ５、Ｃ６とフレームグランドＦＧとの間に、コンデンサ短絡時用ヒューズＦ３が接続されている。
【００２１】
この例では、交流電源電圧が１００Ｖであり、過電流保護用ヒューズＦ１として１５Ａのヒューズが用いられているとすると、コンデンサ短絡時用ヒューズＦ２、Ｆ３としては、例えば、１Ａのヒューズが用いられる。
【００２２】
図２のノイズフィルタ部２Ａにおいては、ラインバイパスコンデンサＣ３が短絡した場合には、直ちに、コンデンサ短絡時用ヒューズＦ２が溶断する。このため、ラインＬからコンデンサＣ３までの導体パターンおよびコンデンサＣ３からフレームグランドＦＧまでの導体パターンに大きな電流が流れるのが回避される。ラインバイパスコンデンサＣ４が短絡した場合には、直ちに、コンデンサ短絡時用ヒューズＦ２が溶断する。このため、ニュートラルＮからコンデンサＣ４までの導体パターンおよびコンデンサＣ４からフレームグランドＦＧまでの導体パターンに大きな電流が流れるのが回避される。
【００２３】
ラインバイパスコンデンサＣ５が短絡した場合には、直ちに、コンデンサ短絡時用ヒューズＦ３が溶断する。このため、ラインＬからコンデンサＣ５までの導体パターンおよびコンデンサＣ５からフレームグランドＦＧまでの導体パターンに大きな電流が流れるのが回避される。ラインバイパスコンデンサＣ６が短絡した場合には、直ちに、コンデンサ短絡時用ヒューズＦ３が溶断する。このため、ニュートラルＮからコンデンサＣ６までの導体パターンおよびコンデンサＣ６からフレームグランドＦＧまでの導体パターンに大きな電流が流れるのが回避される。
【００２４】
つまり、ラインバイパスコンデンサＣ３、Ｃ４、Ｃ５、Ｃ６が短絡した場合にも、ラインＬまたはニュートラルＮからコンデンサまでの導体パターンおよび各コンデンサからフレームグランドＦＧまでの導体パターンに大電流が流れないため、これらの導体パターンの幅を図１のノイズフィルタ部２に比べて小さくすることが可能となる。この結果、スイッチング電源回路の小型化を図ることができる。
【００２５】
なお、図２に示すようなコンデンサ短絡時用ヒューズＦ２、Ｆ３を設ける代わりに、図３に示すノイズフィルタ部２Ｂのように、コンデンサＣ３とラインＬとの間にコンデンサ短絡時用ヒューズＦ４を、コンデンサＣ４とニュートラルＮとの間にコンデンサ短絡時用ヒューズＦ５を、コンデンサＣ５とラインＬとの間にコンデンサ短絡時用ヒューズＦ６を、コンデンサＣ６とニュートラルＮとの間にコンデンサ短絡時用ヒューズＦ６を、設けてもよい。
【００２６】
【発明の効果】
この発明によれば、導体パターンの幅を小さくでき、しかもラインバイパスコンデンサが短絡した場合において、導体パターンが焼損しないようにできる。
【図面の簡単な説明】
【図１】従来のスイッチング電源回路の構成を示す電気回路図である。
【図２】実施の形態であるスイッチング電源回路の構成を示す電気回路図である。
【図３】変形例を示す電気回路図である。
【符号の説明】
２Ａ、２Ｂ  ノイズフィルタ部
Ｌ  ライン（ライン線）
Ｎ  ニュートラル（中性線）
ＦＧ  フレームグランド（グランド線）
Ｃ３、Ｃ４、Ｃ５、Ｃ６  ラインバイパスコンデンサ
Ｆ２、Ｆ３、Ｆ４、Ｆ５、Ｆ６、Ｆ７  コンデンサ短絡時用ヒューズ
【図１】
2004236059.tif 000003
【図２】
2004236059.tif 000004
【図３】
2004236059.tif 000005